(57)【要約】 【課題】  非侵襲的なグルコース濃度測定において、Ｓ／Ｎ比を上げて測定精度を向上する。【解決手段】  生体Ａ表面に配置されて、生体Ａ内に光を照射する光照射部３と、生体Ａ内で拡散あるいは透過した光を生体Ａ外部において検出する信号光検出器２１を有する光検出部４と、信号光検出器２１により検出された散乱光信号に基づいて生体Ａ内のグルコース濃度を算出する演算手段５とを備え、光照射部３に、光源７と、光源７から生体Ａ表面への光路上に配置され、光源７からの光の一部を遮る遮光部材１６と、該遮光部材１６において遮られることなく通過した光を集光させて生体Ａ表面に入射させる集光光学系１５とが設けられ、光検出部４に、遮光部材１６の裏面側に配置され、生体Ａ側から発せられた光を反射して信号光検出器２１に向かわせる反射部材１６が設けられているグルコース濃度測定装置１を提供する。【選択図】      図１
2005037253.tif 000002
【特許請求の範囲】
【請求項１】
生体内に光を照射する光照射部と、
生体内で拡散あるいは透過した光を生体外部において検出する信号光検出器を有する光検出部と、
前記信号光検出器により検出された散乱光信号に基づいて生体内のグルコース濃度を算出する演算手段とを備え、
前記光照射部に、光源と、光源から生体表面への光路上に配置され、光源からの光の一部を遮る遮光部材と、該遮光部材において遮られることなく通過した光を集光させて生体表面に入射させる集光光学系とが設けられ、
前記光検出部に、前記遮光部材の裏面側に配置され、生体側から発せられた光を反射して前記信号光検出器に向かわせる反射部材が設けられているグルコース濃度測定装置。
【請求項２】
前記遮光部材が遮った光を反射する他の反射部材からなり、
前記光照射部に、前記他の反射部材において反射された光を検出する参照光検出器が設けられ、
前記演算手段が、前記散乱光信号と、前記参照光検出器により検出された参照光信号とに基づいて生体内のグルコース濃度を算出する請求項１に記載のグルコース濃度測定装置。
【請求項３】
前記２つの反射部材が、両面ミラーにより一体的に構成されている請求項２に記載のグルコース濃度測定装置。
【請求項４】
前記両面ミラーが、光源から生体表面に向かう光束の略中央に配置される略円板状部材である請求項３に記載のグルコース濃度測定装置。
【請求項５】
前記両面ミラーが、光源から生体表面に向かう光束の外周部に配置されるリング板状部材である請求項３に記載のグルコース濃度測定装置。
【請求項６】
前記両面ミラーが、複数の貫通孔を備える請求項３に記載のグルコース濃度測定装置。
【請求項７】
前記両面ミラーの周縁部に非反射処理が施されている請求項３から請求項６のいずれか１項に記載のグルコース濃度測定装置。
【発明の詳細な説明】
【技術分野】
【０００１】
この発明は、グルコース濃度測定装置に関するものである。
【背景技術】
【０００２】
従来より、糖尿病の判断のために血中グルコース濃度測定が行われており、特に、糖尿病患者のインシュリン投与量を決定する血糖値を検査するために、グルコース濃度の測定が行われている。グルコース濃度の測定は、一般に、指や腕から採取した血液を直接分析することにより行われている。患者の体内における血液中のグルコース濃度は、食事の前後や運動後などの測定条件によって変化するため、正確な血糖値を得るためには、頻繁なグルコース濃度測定が必要である。
しかしながら、採血した血液を直接分析する上記方法は、グルコース濃度の測定の度に注射針等を刺して採血しなければならず、患者にかかる負担が大きいという問題がある。
【０００３】
この問題を解決するために、指、腕、耳朶などの生体組織に対し、外部から近赤外光を照射して生体内で拡散させ、生体外に出射された光を検出する非侵襲的なグルコース濃度測定方法が提案されている（例えば、特許文献１参照。）。この特許文献１の方法は、複数本の発光ファイバと複数本の受光ファイバとを束ねて構成した光ファイババンドルを用意し、該光ファイババンドルを構成する各光ファイバの先端面を生体表面に接触状態に配置する。そして、複数の発光ファイバの先端面から近赤外光を照射することにより、生体内に入射させ、生体内において拡散されて生体表面から生体外に戻る光を複数の受光ファイバにおいて受光するとともに、受光された光のスペクトルを分析することによりグルコースの濃度を算出するものである。
【特許文献１】特開２０００−１３１３２２号公報（図３等）
【発明の開示】
【発明が解決しようとする課題】
【０００４】
特許文献１に示される方法は、多数の発光ファイバおよび受光ファイバを使用することにより、照射光量および検出光量を増加させることで、検出されるグルコース濃度の情報量を増加させている。しかしながら、このように発光ファイバと受光ファイバとを離した方法では、２つのファイバ間を光が伝播する間に散乱、吸収されるため、光量が大幅に減衰するという問題がある。また、受光ファイバの受光面積に限りがあるため、生体外に出射された拡散光の一部が検出されずに失われる不都合もある。
【０００５】
この発明は上述した事情に鑑みてなされたものであって、生体の表皮における反射ノイズを抑え、Ｓ／Ｎ比を改善して測定精度を向上し得るグルコース濃度測定装置を提供することを目的とする。
【課題を解決するための手段】
【０００６】
上記目的を達成するために、この発明は、以下の手段を提供する。
請求項１に係る発明は、生体内に光を照射する光照射部と、生体内で拡散あるいは透過した光を生体外部において検出する信号光検出器を有する光検出部と、前記信号光検出器により検出された散乱光信号に基づいて生体内のグルコース濃度を算出する演算手段とを備え、前記光照射部に、光源と、光源から生体表面への光路上に配置され、光源からの光の一部を遮る遮光部材と、該遮光部材において遮られることなく通過した光を集光させて生体表面に入射させる集光光学系とが設けられ、前記光検出部に、前記遮光部材の裏面側に配置され、生体側から発せられた光を反射して前記信号光検出器に向かわせる反射部材が設けられているグルコース濃度測定装置を提供する。
【０００７】
この発明によれば、光源から発せられた光の一部が遮光部材によって遮られる一方、第１反射部材によって遮られることなく通過した光は、集光光学系を通して生体表面に入射され、生体内で散乱等された後に生体外部に出射される。出射された光の内反射部材により反射された光が信号光検出器に検出される。反射部材は遮光部材の裏面側に配置されているので、反射部材によって反射される光は、生体へ入射される光とは光路の異なる光となる。その結果、生体表面における直接反射光が信号光検出器に検出されることなく、生体内に一旦入射されて生体内において散乱された光が信号光検出器に検出されることになる。その結果、信号光検出器に検出される光からは、生体内におけるグルコース濃度測定に寄与しない成分が除外されており、演算手段においてグルコース濃度を精度よく算出することが可能となる。
【０００８】
請求項２に係る発明は、請求項１に記載のグルコース濃度測定装置において、前記遮光部材が遮った光を反射する他の反射部材からなり、前記光照射部に、前記他の反射部材において反射された光を検出する参照光検出器が設けられ、前記演算手段が、前記散乱光信号と、前記参照光検出器により検出された参照光信号とに基づいて生体内のグルコース濃度を算出するグルコース濃度測定装置を提供する。
この発明によれば、グルコース濃度の算出の際に光源から発せられた光を参照光として用いるので、生体表面に照射する光の強度の変動を考慮してグルコース濃度を精度よく算出することが可能となる。
【０００９】
請求項３に係る発明は、請求項２に記載のグルコース濃度測定装置において、前記２つの反射部材が、両面ミラーにより一体的に構成されているグルコース濃度測定装置を提供する。
この発明によれば、構成部品を少なくして上記作用を奏するグルコース濃度測定装置を安価に提供することができる。
【００１０】
請求項４に係る発明は、請求項３に記載のグルコース濃度測定装置において、前記両面ミラーが、光源から生体表面に向かう光束の略中央に配置される略円板状部材であるグルコース濃度測定装置を提供する。
この発明によれば、光源から発せられた光の内、その略中央を通る光が両面ミラーにより反射されて参照光検出器に検出され、周囲を通る光が両面ミラーによって遮られることなく生体表面に照射される。生体表面に照射された光の内、生体内に入射された散乱光は、入射時と異なる経路を通って生体外部に出射され、入射光束の略中央部に配される両面ミラーの裏面側により反射され、信号光検出器に検出されることになる。
【００１１】
請求項５に係る発明は、請求項３に記載のグルコース濃度測定装置において、前記両面ミラーが、光源から生体表面に向かう光束の外周部に配置されるリング板状部材であるグルコース濃度測定装置を提供する。
この発明によれば、入射光束の略中央を通る光が生体内において散乱され、両面ミラーの裏面側において反射されて信号光検出器に検出される。一方、入射光束の外周部を通る光は両面ミラーの表面側において反射され、参照光検出器に検出されることになる。なお、両面ミラーのさらに半径方向外方を通る光も生体表面に入射させて、その散乱光を信号光検出器において検出させることにしてもよい。
【００１２】
請求項６に係る発明は、請求項３に記載のグルコース濃度測定装置において、前記両面ミラーが、複数の貫通孔を備えるグルコース濃度測定装置を提供する。
この発明によれば、貫通孔を通過した光は生体内に入射させられて散乱され、両面ミラーの裏面側の貫通孔の開いていない部分で反射され、信号光検出器に検出される。一方、両面ミラーの表面側の貫通孔以外の部分で遮られ反射された光は参照光検出器に検出されることになる。
【００１３】
請求項７に係る発明は、請求項３から請求項６のいずれか１項に記載のグルコース濃度測定装置において、前記両面ミラーの周縁部に非反射処理が施されているグルコース濃度測定装置を提供する。
この発明によれば、両面ミラーの周縁部に非反射処理を施すことによって、比較的表面に近い散乱光を抑制することで、より深部からの光を検出することが可能となる。
【発明の効果】
【００１４】
本発明に係るグルコース濃度測定装置によれば、生体に入射させる近赤外光の光路と、生体から発せられて検出される近赤外光の光路とを異ならせることにより、生体の表面近傍において反射した近赤外光が検出されることにより発生する表皮における反射ノイズを抑制して、精度よくグルコース濃度を測定することができるという効果を奏する。
【発明を実施するための最良の形態】
【００１５】
以下、本発明の一実施形態に係るグルコース濃度測定装置について図面を参照して説明する。
本実施形態に係るグルコース濃度測定装置１は、図１に示されるように、近赤外光を生体Ａ内に照射して、生体Ａ内において散乱された光を検出することにより、生体Ａ内のグルコース濃度を測定する装置であって、近赤外光を発生する照明制御部２と、該照明制御部２から発せられた近赤外光を生体Ａに向けて照射する光照射部３と、生体Ａ内において散乱された光を検出する光検出部４と、検出された光を電気信号に変換して得られた検出信号に基づいてグルコース濃度を算出する演算部５と、該演算部５において算出されたグルコース濃度を出力する表示部６とを備えている。
【００１６】
前記照明制御部２は、光源７と、該光源７から発せられた光をコリメートするコリメートレンズ８と、コリメートされた光を一定の偏光方向に偏光するポーラライザ９と、入力された高周波の周波数に応じて、ポーラライザ９で偏光された光の内特定の波長の光（近赤外光）のみをさらに偏光して出射する音響光学可変波長フィルタ（ＡＯＴＦ：Acoust-Optic Tunable Filter、以下、ＡＯＴＦという。）１０と、該ＡＯＴＦ１０に高周波を供給して制御するフィルタ制御部１１と、ＡＯＴＦ１０において偏光された特定の波長の光のみを通過させるアナライザ１２とを備えている。前記光源７は、例えば、ハロゲンランプであるが、キセノンランプ、メタルハライドランプ、高圧水銀ランプ、ＡＳＥ（Amplified Spontaneous Emission）光源でもよい。
【００１７】
前記フィルタ制御部１１は、ＡＯＴＦ１０に対して特定の周波数の高周波を供給する。フィルタ制御部１１からＡＯＴＦ１０に供給される高周波の周波数は、所定の速度で順次変更されるようになっている。また、フィルタ制御部１１は、ＡＯＴＦ１０に対して高周波を供給するのと同期して、該高周波を前記演算部５に供給するようになっている。図中、符号１３は、高周波の基本周波数を発生する発振器、符号１４は加算器を示している。これにより、ＡＯＴＦ１０および演算部５には、発振器１３から供給される基本周波数とフィルタ制御部１１から供給される周波数とが加算された周波数がそれぞれ入力されるようになっている。
【００１８】
前記光照射部３は、前記照明制御部２のアナライザ１２から発せられたコリメート光を集光させる第１集光レンズ１５と、これらアナライザ１２と第１集光レンズ１５との間に配置された両面ミラー１６と、該両面ミラー１６のアナライザ１２側の面（以下、表面という。）において反射された光を集光する第２集光レンズ１７と、該第２集光レンズ１７の結像位置近傍に配置された参照光検出器１８とを備えている。第１集光レンズ１５は着脱可能なアタッチメント１９に取り付けられている。アタッチメント１９は、略円筒状の部材であって、その先端面１９ａに、被測定物である生体Ａ表面が密着状態に配置されるようになっている。
【００１９】
前記光検出部４は、前記両面ミラー１６の第１集光レンズ１５側の面（以下、裏面という。）において反射された光を集光する第３集光レンズ２０と、該第３集光レンズ２０の結像位置近傍に配置された信号光検出器２１とを備えている。前記参照光検出器１８および信号光検出器２１はいずれも、例えば、ＰｂＳセンサ、あるいは、ＩｎＧａＡｓセンサである。
【００２０】
前記両面ミラー１６は、前記アナライザ１２から発せられ、第１集光レンズ１５に向かう光束Ｌの片側半分を遮るように光軸に対して、例えば、４５°の角度をなして配置されている。したがって、両面ミラー１６は、図２に示されるように、第１集光レンズ１５に向かう光束Ｌの一部（半分）を表面側で反射して光軸を９０°折り曲げるようになっている。また、第１集光レンズ１５に向かう光束Ｌの他側の半分には両面ミラー１６が配置されていないので、そこを通るコリメート光の他の半分は、両面ミラー１６により遮られることなく通過させられて、第１集光レンズ１５により集光させられるようになっている。すなわち、両面ミラー１６は、光束Ｌの一部の第１集光レンズ１５への進行を表面側において遮る遮光部材として機能する一方、生体Ａ側から戻る光を裏面側において反射する反射部材としても機能している。
第１集光レンズ１５の結像位置は、アタッチメント１９の先端面１９ａに配置されている。
【００２１】
前記演算部５は、前記信号光検出器２１の検出信号から前記参照光検出器１８の検出信号を差し引く差動アンプ２２と、該差動アンプ２２から出力された電気信号から特定の周波数の信号のみを抽出するロックイン検波器２３と、該ロックイン検波器２３から出力された電気信号をディジタル信号に変換するＡ／Ｄ変換器２４と、該Ａ／Ｄ変換器２４から出力されたディジタル信号に基づいてグルコース濃度を算出するコンピュータ（演算手段）２５とを備えている。
【００２２】
前記ロックイン検波器２３は、前記フィルタ制御部１１から供給された高周波を受信して、差動アンプ２２からの電気信号から、高周波の周波数に一致する周波数成分の電気信号のみを抽出するようになっている。
また、コンピュータ２５は、ロックイン検波器２３により抽出された電気信号をＡ／Ｄ変換した出力信号と、前記フィルタ制御部１１から高周波の周波数に対応してＡＯＴＦ１０から発せられる光の波長信号とを入力されるようになっている。これにより、コンピュータ２５においては、Ａ／Ｄ変換器２４から得られた複数の出力信号と、フィルタ制御部１１から得られた各出力信号に対応する波長信号とから得られる出力信号のスペクトル分布に基づいて、特定の波長領域、例えば、波長１．５μｍ近傍の領域における出力信号値からグルコース濃度が演算されるようになっている。
なお、コンピュータ２５には、ディスプレイ６（表示部）が備えられており、コンピュータ２５において演算されたグルコース濃度値が表示されるようになっている。
【００２３】
このように構成された本実施形態に係るグルコース濃度測定装置１の作用について、以下に説明する。
本実施形態に係るグルコース濃度測定装置１を用いて生体Ａ内の体液のグルコース濃度を測定するには、アタッチメント１９の先端面１９ａを生体Ａ、例えば、指先の表面に密着させる。なお、測定部位は、指先の他、掌、前腕等でもよい。
【００２４】
この状態で、照明制御部２を作動させることにより、光源７およびＡＯＴＦ１０を作動させる。ＡＯＴＦ１０を作動させるには、ＡＯＴＦ１０により分光する近赤外光の波長に対応する周波数の高周波をフィルタ制御部１１からＡＯＴＦ１０に入力する。これにより、光源７から発せられた光から所定波長の近赤外光を分光して光照射部３に入射させる。ＡＯＴＦ１０において分光された近赤外光は、コリメート光として第１集光レンズ１５に向かうことになる。
【００２５】
このコリメート光の光束Ｌ中には、両面ミラー１６が配置されているので、コリメート光の一部が遮られて反射され、第２集光レンズ１７において集光させられて参照光検出器１８に検出される。一方、両面ミラー１６によって遮られなかった部分のコリメート光は、そのまま第１集光レンズ１５において集光される。第１集光レンズ１５の結像位置がアタッチメント１９の先端面１９ａに配置されているので、近赤外光は、アタッチメント１９の先端面１９ａに密着させられている生体Ａ表面に結像させられて、生体Ａ内に入射させられることになる。
【００２６】
生体Ａ内に入射された近赤外光は、入射方向に沿って生体Ａ内を進行する間に、生体組織に衝突して拡散される。光は、通過する生体組織や体液の成分に応じて、特定の波長領域の光を吸収される。したがって、生体Ａ内で拡散されることにより生体Ａの表面に戻って生体Ａ外に出射された光は、通過した生体組織や体液に応じた特定の波長領域の光量が低下している。
【００２７】
生体Ａ外に出射された近赤外光は、再度第１集光レンズ１５を通過させられて、コリメート光とされる。そして、その後に、そのコリメート光の一部が両面ミラー１６で遮られて、反射されることにより光路を９０°曲げられて第３集光レンズ２０により集光され、信号光検出器２１に検出されることになる。
【００２８】
また、信号光検出器２１に検出される光は、生体Ａ側から戻った光の内、光束Ｌ中に配置されている両面ミラー１６によって反射された光であるため、生体Ａ表面に入射された光とは異なる光路を通って戻る光となっている。すなわち、生体Ａ表面において反射され同じ経路を戻る光は、両面ミラー１６において反射されないので、信号光検出器２１に検出されることがない。したがって、信号光検出器２１に検出される光からは、生体Ａ表面における直接反射光は除かれており、生体Ａ内に一旦入射されることにより生体Ａ内で散乱された散乱光が多く含まれていることになる。
【００２９】
信号光検出器２１および参照光検出器１８からの出力信号は、演算部５に入力されると、差動アンプ２２によってその差分を演算される。信号光検出器２１により検出される信号光の大きさは、生体Ａに入射される光、すなわち、ＡＯＴＦ１０から発せられた近赤外光の強度の変動とともに変動する。したがって、生体Ａへの入射前の近赤外光を参照光として参照光検出器１８により検出しておき、信号光から差し引くことにより、ＡＯＴＦ１０から発せられる近赤外光の強度変動による信号光強度の変動を除去することが可能となる。このとき、参照光検出器１８からの出力信号には所定の係数をかけておくことにより、得られる差分信号を調整してもよい。
【００３０】
このようにして得られた差分信号は、ロックイン検波器２３を通過させられる。これにより、フィルタ制御部１１からのＡＯＴＦ１０に入力された高周波に対応する波長の光に関する出力信号のみが抽出される。したがって、抽出された出力信号には、生体Ａに入射された近赤外光と波長を同じくする生体Ａからの散乱光の情報のみが含まれ、他の波長の光、例えば、外来光に関する情報は除かれていることになる。
【００３１】
そして、ロックイン検波器２３において抽出された出力信号は、Ａ／Ｄ変換器２４によってディジタル信号に変換させられてコンピュータ２５に入力される。フィルタ制御部１１からＡＯＴＦ１０に入力される高周波の周波数が順次変更されており、コンピュータ２５には、生体Ａに入射させた近赤外光の波長情報が、フィルタ制御部１１から順次供給される。したがって、コンピュータ２５においては、出力信号と波長情報との関係を示す波長特性が求められていくことになる。また、コンピュータ２５は、求めた波長特性の内、所定の波長領域、例えば、波長１．５μｍ近傍の領域における出力信号値を求めることにより、生体Ａ内部のグルコース濃度を演算する。そして、演算されたグルコース濃度値は、ディスプレイに表示されることになる。
【００３２】
この場合において、本実施形態に係るグルコース濃度測定装置１によれば、第１に、生体Ａ内に入射させる入射光と、生体Ａから戻って信号光検出器２１に検出される検出光との光路を異ならせることにより、信号光検出器２１に検出される光に、生体Ａ内に一旦入射して散乱された光を多く含めることができる。すなわち、入射光と同じ光路を通って戻る直接反射光のように、生体Ａ内の真皮まで到達せず、グルコース濃度の情報を含まない光を検出光から除外することで、Ｓ／Ｎ比を向上して、グルコース濃度値を精度よく得ることができる。
【００３３】
第２に、信号光と参照光との差分をとることで、入射光の強度の変動による信号光の強度の変動、すなわち、グルコース濃度値の変動を防止して、精度よく測定することができる。
第３に、ロックイン検波器２３を用いて、実際の入射光の波長と同じ波長の検出光のみを抽出することで、外来光等の他の波長の光による影響を除外して、精度よくグルコース濃度を演算することができる。
【００３４】
なお、本実施形態に係るグルコース濃度測定装置１においては、コリメート光の光束Ｌの半分を遮る両面ミラー１６を用いたが、これに代えて、図３に示す形態の両面ミラー２６を用いてもよい。すなわち、図３に示す両面ミラー２６は、コリメート光の光束Ｌの略中央に配置される円板状に形成されている。この両面ミラー２６によれば、図４に示されるように、光束Ｌの略中央部が両面ミラー２６によって遮られて反射され、参照光検出器１８に検出される一方、光束Ｌの周縁部分が両面ミラー２６に遮られることなく生体Ａに入射させられた後に、光束Ｌの略中央部に戻った散乱光のみが両面ミラー２６によって反射されて信号光検出器２１に検出されるようになっている。
【００３５】
この場合に、図４に示されるように、生体Ａ表面に結像されるリング状の光の半径方向幅Ｄが、略２ｍｍ以下となるようにすることが好ましい。このようにすることにより、生体Ａ内の真皮領域まで達し、減衰されることなく生体Ａ外に戻った光を信号光検出器２１において検出することが可能となる。
【００３６】
また、図５に示すように、中央に貫通孔２７ａを有するの両面ミラー２７を用いることにしてもよい。この両面ミラー２７によれば、図６に示されるように、光束Ｌの略中央部のみが両面ミラー２７に遮られることなく、貫通孔２７ａを通過して生体Ａに入射させられた後に、光束Ｌの周縁部分に戻った散乱光のみが両面ミラー２７によって反射されて信号光検出器２１に検出されるようになっている。
この場合に、図６に示されるように、上記と同じ理由により、生体Ａ表面に結像される円形の光の直径寸法Ｄが、略２ｍｍ以下となるようにすることが好ましい。
【００３７】
また、図７に示されるように、複数の貫通孔２８ａを、例えば、格子状に形成した両面ミラー２８を採用してもよい。すなわち、貫通孔２８ａ以外の部分で遮られた光を参照光として検出し、貫通孔２８ａを通過して生体Ａに入射された光を信号光として検出することにしてもよい。貫通孔２８ａの形状は任意でよい。
また、図８に示されるように、円形のミラー部２９ａとリング板状のミラー部２９ｂとを備える両面ミラー２９を用いて、貫通孔２９ｃを通過する輪帯照明としてもよい。すなわち、円環状の光を生体Ａ表面に結像させ、略中央部と周縁部分の両方に戻る散乱光を信号光検出器２１に導くことにしてもよい。
【００３８】
また、これらの両面ミラー１６，２６，２７，２９を用いる場合に、例えば、図９、図１０に示されるように、該両面ミラー２６，２７によって遮られる光と遮られることなく通過する光との境界部分に配置される両面ミラー２６，２７の縁部に、それぞれ、光を吸収する非反射処理を施した非反射処理部３０を形成することにしてもよい。このようにすることで、比較的表面に近い散乱光を抑制することや、縁部における散乱光が迷光として信号光検出器２１に検出され、ノイズとなるのを防止することができる。非反射処理としては、例えば、黒色塗料を塗布することが挙げられる。
【００３９】
また、上記実施形態においては、ＡＯＴＦ１０から発せられる近赤外光の強度の変動による測定誤差を除去するためにコリメート光の光束Ｌ中に両面ミラー１６，２６，２７，２８，２９を配置して、参照光を検出することとしたが、ＡＯＴＦ１０からの近赤外光の強度の変動が無視できる場合には、参照光の検出を行わなくてもよい。この場合には、両面ミラー１６，２６，２７，２８，２９に代えて、片面ミラー（図示略）とし、コリメート光の一部を遮り、生体Ａから戻ってきた散乱光を片面ミラーによって信号光検出器２１に導くことにしてもよい。また、片面ミラーに代えて、コリメート光の一部を遮る遮光部材（図示略）と、該遮光部材の裏面側に配置される遮光部材とは別体の反射ミラーとを採用してもよい。また、両面ミラー１６，２６，２７，２８，２９は表裏面で別体の片面ミラーを採用してもよい。
【００４０】
また、上記実施形態においては、参照光検出器１８を第２集光レンズ１７の結像位置近傍に配置して直接検出することとしたが、これに代えて、図１１に示されるように、セラミックボード３１のような白色板において一旦反射させた光を参照光検出器１８により検出することにしてもよい。このようにすることにより、光源７やＡＯＴＦ１０における波長特性を補正して、さらに精度よくグルコース濃度を測定することができる。
なお、さらに測定精度を向上するために、光路上にピンホール（図示略）を配置して共焦点系を構成することにしてもよい。
【００４１】
次に、本発明の他の実施形態に係るグルコース濃度測定装置について、図１２を参照して説明する。本実施形態の説明において、上述した第１の実施形態と構成を共通とする箇所には同一の符号を付して説明を簡略化する。
本実施形態に係るグルコース濃度測定装置４０は、上述した第１の実施形態に係るグルコース濃度測定装置１が、照明制御部２に対して光検出部４を固定的に配した構造のものであるのに対し、光ファイバ４１，４２，４３により移動可能に連結した構造である点において相違している。
【００４２】
本実施形態に係るグルコース濃度測定装置４０は、照明制御部２、光検出部４４、演算部５および表示部６を備える本体４５と、光照射部３を備えるヘッド４６と、これらを接続する光ファイバ４１，４２，４３とを備えている。本体４５内には、前記照明制御部２のアナライザ１２から発せられたコリメート光を光ファイバ４１に集光させる集光レンズ４７と、参照光検出器１８および信号光検出器２１とが備えられている。ヘッド４６には、光ファイバ４１の端面から発せられた拡散光を平行光に変換するコリメートレンズ４８が備えられている。また、光ファイバ４２，４３は、前記第２集光レンズ１７および第３集光レンズ２０の結像位置近傍にそれぞれ一端を配し、それらの他端を前記参照光検出器１８および信号光検出器２１の近傍に配している。
【００４３】
このように構成された本実施形態に係るグルコース濃度測定装置４０によれば、光ファイバを湾曲させることにより、本体４５に対してヘッド４６を自由に移動させることが可能となる。また、ヘッド４６のみを移動させることができるので、可動部を軽量化して操作性を向上することができる。
【図面の簡単な説明】
【００４４】
【図１】この発明の一実施形態に係るグルコース濃度測定装置の全体構成を示す概略図である。
【図２】図１のグルコース濃度測定装置の両面ミラーを光源側から光軸方向に見た図である。
【図３】図２の両面ミラーの第１の変形例を光源側から光軸方向に見た図である。
【図４】図３の両面ミラーを配置した場合のグルコース濃度測定装置の部分的な光路を示す図である。
【図５】図２の両面ミラーの第２の変形例を光源側から光軸方向に見た図である。
【図６】図５の両面ミラーを配置した場合のグルコース濃度測定装置の部分的な光路を示す図である。
【図７】図２の両面ミラーの第３の変形例を配置したグルコース濃度測定装置の部分的な光路を示す図である。
【図８】図２の両面ミラーの第４の変形例を配置したグルコース濃度測定装置の部分的な光路を示す図である。
【図９】両面ミラーの縁部における非反射処理の一例を示す図である。
【図１０】図９の非反射処理の他の例を示す図である。
【図１１】参照光検出器の前段にセラミックボードを配置した部分的な光路を示す図である。
【図１２】この発明の他の実施形態に係るグルコース濃度測定装置を示す概要図である。
【符号の説明】
【００４５】
Ａ  生体
１，４０  グルコース濃度測定装置
３  光照射部
４，４４  光検出部
５  演算部（演算手段）
７  光源
１５  第１集光レンズ（集光光学系）
１６，２６，２７，２８，２９  両面ミラー（遮光部材、反射部材、他の反射部材）
１８  参照光検出器
２１  信号光検出器
２８ａ  貫通孔
【図１】
2005037253.tif 000003
【図２】
2005037253.tif 000004
【図３】
2005037253.tif 000005
【図４】
2005037253.tif 000006
【図５】
2005037253.tif 000007
【図６】
2005037253.tif 000008
【図７】
2005037253.tif 000009
【図８】
2005037253.tif 000010
【図９】
2005037253.tif 000011
【図１０】
2005037253.tif 000012
【図１１】
2005037253.tif 000013
【図１２】
2005037253.tif 000014